(57)【要約】【課題】  簡単な操作でおとり鮎の鼻に装着できるとともに、玉網に引っ掛かりにくく、また、おとり鮎から外れにくい鼻環を提供する。【解決手段】  鼻環１は、鼻に挿入する側の第１端部２１と他の側にある第２端部２２との間に隙間Ｓが設けられた環状体２として形成され、第２端部２２に被せて取り付ける弾性チューブ３を隙間Ｓに位置させられる。糸５の結び付け部２４としての凹み４を第２端部２２の内側に有する。弾性チューブ３は、第２端部２２に被せた側とは逆の側の先端３ａが第１端部２１の最先端２１ａ付近にあるように、第２端部２２に取り付けられる。【選択図】  図１
2015015912.tif 000002
【特許請求の範囲】
【請求項１】
おとり鮎を糸につなぐ目的でその鼻に通すべく、鼻に挿入する側の第１端部と他の側にある第２端部との間に隙間が設けられた環状体として形成され、糸の結び付け部を一部に有するほか、第２端部に被せて取り付ける弾性チューブを上記隙間に位置させられるよう形成された鼻環であって、
上記弾性チューブのうち上記第２端部に被せた側とは逆の側の先端が、上記第１端部の最先端付近にあるように、当該チューブが第２端部に取り付けられ得ることを特徴とする鼻環。
【請求項２】
上記弾性チューブは、上記環状体の環の外側に沿った外側のラインの延長線が、上記第１端部の最先端から０ｍｍ〜−１ｍｍの位置を通るように第２端部に取り付けられ得ることを特徴とする請求項１に記載の鼻環。
【請求項３】
上記第２端部の付近であって、上記弾性チューブが被せられる箇所で、外側向きに凸の曲線部分が上記環状体に含まれていて、
その曲線部分またはその曲線部分よりも第２端部寄りの部分に、上記弾性チューブの外周面上に糸を巻き付けられる上記の結び付け部として、凹みが形成されている
ことを特徴とする請求項１または２に記載の鼻環。
【請求項４】
上記の凹みが、環状体の環の内側にのみ形成されていることを特徴とする請求項３に記載の鼻環。
【請求項５】
上記凹みが、第２端部の最先端から０．３〜１．５ｍｍの領域に設けられていることを特徴とする請求項３または４に記載の鼻環。
【請求項６】
上記第２端部が、上記凹みから最先端にかけて直線状に形成されていることを特徴とする請求項１〜５のいずれかに記載の鼻環。
【請求項７】
上記環状体が、全体的に略円形であることを特徴とする請求項１〜６のいずれかに記載の鼻環。
【請求項８】
上記弾性チューブが、第２端部に被せた側とは逆の側の先端が上記第１端部の付近にあるよう、第２端部に被せて取り付けられていることを特徴とする請求項１〜７のいずれかに記載の鼻環。
【請求項９】
上記の結び付け部である上記凹みのある箇所で、取り付けられた上記弾性チューブの外周面上に糸が巻き付けられていることを特徴とする請求項８に記載の鼻環。
【発明の詳細な説明】
【技術分野】
【０００１】
本発明は、鮎釣りにおいて、おとりにする鮎の鼻に通す鼻環に関するものである。
【背景技術】
【０００２】
鮎釣りをする際、おとり鮎を糸につなぐために鼻環が使用される。鼻環にも種々のものがあるが、図６に示す鼻環１０１と同様の形態のものが最近では広く使用されている。たとえば下記の特許文献１にも、同様の鼻環が記載されている。
図６の鼻環１０１は、略Ｃの字の形をしていて１箇所に隙間を有する金属製の環状体１０２に、弾性チューブ（塩化ビニール系）１０３を取り付け、一部に糸１０５を結び付けて使用するものである。環状体１０２には、おとり鮎の鼻に挿入する側の第１端部１２１と、他の側の第２端部１２２との間に隙間があり、この隙間を利用して第１端部１２１の先から鮎の鼻に環状体１０２が挿入される。弾性チューブ１０３は、第２端部１２２に一部を被せることによって取り付けるもので、鮎の鼻に環状体を通すことを可能にするとともに、隙間からおとり鮎が逃げてしまうのを防止する。
環状体１０２のうち、鼻に挿入する側である第１端部１２１はほぼ直線状に形成されており、チューブ１０３を差し込む側の第２端部１２２には曲率の大きな角部１０４が設けられている。角部１０４にまで被せるように差し込まれたチューブ１０３の先端は、第１端部１２１寄りに延びて上記の隙間を塞ぐが、その先端が第１端部１２１の最先端よりも内側の基部に接近しているため、第１端部１２１は、チューブ１０３の位置より先へ出た突出部分Ｐとなっている。巻き糸１０５は、角部１０４においてチューブ１０３の外側に直接巻き付けて取り付けるか、または、別途設ける取付リング（特許文献１の例を参照）を介して環状体１０２およびチューブ１０３に連結する。
【先行技術文献】
【特許文献】
【０００３】
【特許文献１】実用新案登録第３０４６５９２号公報
【発明の概要】
【発明が解決しようとする課題】
【０００４】
図６のような鼻環１０１は、第１端部１２１がチューブ１０３より外へ長く出っ張った突出部分Ｐとなっているため、おとり鮎の鼻に装着するときは扱いやすいが、釣れた鮎を取り込むとき、玉網の糸に引っ掛かかりやすい。すなわち、おとり鮎に付けられた鼻環１０１の突出部分Ｐが玉網の網目に掛かり、鼻環１０１の内部にまで網の目が入り込んでしまうことがあり、糸のもつれや手返しが悪くなる原因となる。鼻環１０１を玉網から外すのに手間がかかると、おとり鮎が弱ってしまい、釣果に不都合な影響を与えることにもなる。
【０００５】
また、図６に示す従来の鼻環１０１では、糸で引っ張られるとき、おとり鮎の鼻の位置が第１端部１２１の最先端に近くなるとともに、図示のように第１端部が外向きに（図６では左方に向かって）開いた姿勢になるため、鼻環１０１がおとり鮎から外れやすくなりがちである。
そのようになる理由は、糸を結ぶ角部１０４から第２端部１２２までの間にかなりの長さをもたせていて、巻き糸１０５の位置が第１端部１２１から大きく離れた位置にあるからである。巻き糸１０５の位置が第１端部１２１から大きく離れていると、その糸で引かれるとき、環状体１０２は巻き糸１０５の位置を中心に図示右寄りに傾き、図６のように第１端部１２１が外向きに開くとともに、おとり鮎が図の左方に近づくことになる。
【０００６】
上記のような鼻環とは別に、円形の輪が１箇所切断されている構成の鼻環もある。このような鼻環は、おとり鮎の鼻に装着するとき、切断部分の両側を互いにひねるように変形させて隙間を作り、その隙間からおとり鮎の鼻に通す。その後、切断部分を再度変形させて元に戻し、おとり鮎から鼻環が抜けないようにする。糸を結び付けるための部分は、たとえば輪の一部にプレスで凹ませて形成されている。このような鼻環は、隙間を閉じてしまうためおとり鮎から抜けるのを確実に防止できるうえ、円形の輪であるために突出部分がなく、したがって玉網などに引っ掛かりにくいという利点がある。しかし、切断部分をひねって隙間を作り、おとり鮎を装着したのち切断部分を元に戻すという細かい作業が必要であるため、おとり鮎を取り付ける際に手間がかかる不便さがある。
【０００７】
本発明は、以上の点を考慮したもので、簡単な操作でおとり鮎の鼻に装着できるとともに、玉網に引っ掛かりにくく、またおとり鮎から外れにくい鼻環を提供することを目的としている。
【課題を解決するための手段】
【０００８】
発明に係る鼻環は、おとり鮎を糸につなぐ目的でその鼻に通すべく、鼻に挿入する側の第１端部と他の側にある第２端部との間に隙間が設けられた環状体（略Ｃの字状のもの）として形成され、糸の結び付け部を一部に有するほか、第２端部に被せて取り付ける弾性チューブ（塩化ビニール等でできたもの）を上記隙間に位置させられるよう形成された鼻環であって、
上記弾性チューブのうち、上記第２端部に被せた側とは逆の側の先端が、上記第１端部の最先端付近にあるように、当該チューブが第２端部に取り付けられ得ることを特徴とする。
なお、ここにいう鼻環は、弾性チューブや糸を取り付けられる環状体であるものの、それらがまだ取り付けられていないものをさしている。たとえば、図２（ａ）に示す鼻環（環状体２）である。
【０００９】
上のように構成された鼻環は、第２端部に弾性チューブを取り付けると、そのチューブの先端が第１端部の最先端付近に位置することになるため、第１端部のうち環状体の環の外側に張り出す部分（図６の例における突出部分Ｐ）がきわめて短いか、または存在しない。したがって、たとえば鮎釣りでおとり鮎にこの鼻環を通して鮎を釣った場合、釣った鮎を取り込む際に、おとり鮎につけた鼻環が玉網に引っ掛かってしまうのを防止できる。鼻環が玉網にからまないので、おとり鮎が弱らないうちに釣りを再開することができ、その結果、良好な釣果が期待できる。
【００１０】
上記の鼻環において、弾性チューブは、上記環状体の環の外側に沿った外側のラインの延長線が、上記第１端部の最先端から＋１ｍｍ〜−１ｍｍの位置（すなわち、図１における寸法Ｃが＋１ｍｍ〜−１ｍｍとなる位置。ただし、寸法Ｃを０〜−１ｍｍとするのがとくに望ましい）を通るように第２端部に取り付けられ得ることが好ましい。
【００１１】
このような鼻環であれば、第２端部に取り付けられた弾性チューブの外側のラインと第１端部の最先端とがほぼ面一（つらいち。段差のない状態）に並ぶため、環状体の環の外側に張り出す部分がほとんどない（つまり、第１端部が弾性チューブの外側のラインから突出する長さが最大で１ｍｍ（望ましくは０ｍｍ）となる）。そのため、おとり鮎に付けた鼻環が玉網にからまないという上記発明の効果がとくに確実に得られる。
【００１２】
上記の鼻環において、第２端部の付近であって上記弾性チューブが被せられる箇所で、外側（環の外側）向きに凸の曲線部分が上記環状体に含まれていて、その曲線部分またはその曲線部分よりも第２端部寄りの部分に、上記弾性チューブの外周面上に糸を巻き付けられる上記の結び付け部として凹みが形成されている――という構成をとると、とくに好ましい。なお、その凹みは全周的に形成されていてもよいが、全周的でなくとも、環状体の環の内側にのみ形成されていれば足りる。たとえば図２（ａ）のように、第２端部の付近にて曲線部分２３が含まれているとともに、結び付け部２４としての凹み４が内側にのみ形成されているとよい。
【００１３】
鼻環とする環状体のうち弾性チューブを被せる箇所に外側向きに凸の曲線部分が含まれていると、図３（ａ）に示すように、弾性チューブの先端が環状体の環の外側に向かって反ることになる。これは、弾性チューブのうち上記曲線部分の外側に接する部分の長さ（図示の長さＡ）と内側に接する部分の長さ（長さＢ）とが違っていることに起因し、弾性チューブのうち外側の方に内側よりも強い張力が発生するという、張力のアンバランスが生じるからである。
先端がそのように外向きに反った状態では、弾性チューブは、環状体の内側から力を受けたとき外側向きに変位しやすくなっている。そのため、おとり鮎の動きが激しいとき等に、弾性チューブが鮎の鼻に押されて外向きに開き、その結果おとり鮎が外れて逃げてしまう可能性が高くなる。
その点、上記鼻環のように、弾性チューブを被せる箇所に凹みを設け、その位置に糸を巻き付けると、図３（ｂ）のように、弾性チューブの上記の反りをなくすことができる。結び付け部よりも奥にある曲線部分に張力のアンバランスが発生していても、糸をチューブの全周に結び付けたことによってそれが遮断され、弾性チューブの先端寄りには伝わらないからである。環の内側のみに凹みを設けた場合には、弾性チューブの内側（環の内側）のみが凹みに押し込まれて引っ張られ、それによって上記した張力のアンバランスが解消されるからである。
先端が外向きに反らなくなると、弾性チューブが容易に外側向きに変位するという状態が解消される。そうなると、おとり鮎が激しく動いた場合等にも、弾性チューブを押しておとり鮎が外れてしまう不都合が発生しにくい。
【００１４】
上記の凹みは、第２端部の最先端から０．３〜１．５ｍｍの領域に形けられていると、とくに好ましい。図２（ｂ）における寸法Ｄを０．３ｍｍ以上・１．５ｍｍ以下にするのである。
【００１５】
このように、糸の結び付け部としての凹みが第２端部の先端に近く形成されていると、糸をその凹みに結び付けることによって、鮎の鼻へ挿入する側の端部である第１端部に糸を近づけることができる。糸の位置を第１端部に近づけると、図４のように、その糸で引かれるとき環状体が巻き糸の位置を中心に図示左寄りに傾くよう姿勢を変え、図６の例とは違って第１端部が外向きには開きにくくなるとともにおとり鮎が図の左方に近づいて、第１端部からさらに抜けにくくなる。
【００１６】
第２端部において、上記凹みから最先端にかけての部分が直線状に形成されているとなおよい。
【００１７】
そのような鼻環であれば、図３（ｂ）のように、糸を結び付ける凹みより先の部分において、弾性チューブが第２端部の外側に接する長さＡ’と内側に接する長さＢ’とが等しくなる。そのため、第２端部に被せた弾性チューブが、結び付けた糸の先で環状体の環の外側を向くことをより確実に防止できる。
【００１８】
上記鼻環に関し、上記環状体が、たとえば図２（ａ）のように、全体的に略円形であると好ましい。
【００１９】
そのような形状の鼻環は、角がないので弾性チューブを差し込みやすいうえ、上記曲線部分の曲がりが緩やかなので、弾性チューブの先端が環状体の環の外側を向く力が弱いという利点がある。また、鼻環が玉網にからみにくい点でも有利である。
【００２０】
発明による鼻環は、環状体に上記弾性チューブが取り付けられたものであって、その弾性チューブが、第２端部に被せられた側とは逆の側の先端が上記第１端部の付近にあるよう、第２端部に被せて取り付けられていることを特徴とする。
このように弾性チューブが第２端部に取り付けられた鼻環であれば、釣り場等において弾性チューブを環状体に取り付ける手間が不要になり、便利である。おとり鮎に付けた鼻環が玉網の網に引っ掛かかりにくいなど、上記した利点のそれぞれも享受することができる。
【００２１】
またさらに、上記の結び付け部である上記凹みのある箇所で、取り付けられた上記弾性チューブの外周面上に糸が巻き付けられているとなおよい。
このような鼻環は、弾性チューブも糸も装着されたものであるため、釣り場等においてそのまま使用することができ、さらに便利である。
【発明の効果】
【００２２】
発明の鼻環によれば、おとり鮎への装着が容易で、しかも玉網にからみにくく、おとり鮎が外れにくい。そのため、発明の鼻環を使用することにより良好な釣果が期待できる。
【図面の簡単な説明】
【００２３】
【図１】発明による鼻環１の一実施形態を示す正面図である。
【図２】図２（ａ）は環状体２の正面図であり、同（ｂ）は弾性チューブ３の正面図である。
【図３】図３は、糸５を取り付けることによる弾性チューブ３の向きの変化を説明する図で、図３（ａ）は、糸を取り付けていない状態の鼻環１を示す正面図、同（ｂ）は、糸を取り付けた状態の鼻環１を示す正面図である。
【図４】糸の結び付け部と鼻環の姿勢とについて示す説明図である。
【図５】発明による別の実施形態（鼻環１１）を示す正面図である。
【図６】従来の鼻環１０１を示す正面図である。
【発明を実施するための形態】
【００２４】
発明による鼻環の一実施形態を、図１〜図４に基づき説明する。
【００２５】
鼻環１は、おとり鮎の鼻に通してその鮎を糸（鼻環糸）につなぐ目的で使用されるもので、図１・図２等に示すように、略円形状（略Ｃの字状）に構成された環状体２と、環状体２に装着可能な弾性チューブ３と、弾性チューブ３の上から結び付けられる鼻環糸５とからなる。
【００２６】
環状体２は、図２（ａ）に示すように、鋼線等の金属線材を略Ｃの字状の円弧に形成したもので、おとり鮎の鼻に挿入する側の第１端部２１と、他の側にある第２端部２２との間に、おとりの鼻を通す隙間Ｓが設けられている。第１端部２１は直線状に形成されているが、その直線状部分の長さは、従来の鼻環（図６参照）におけるものよりも短い。第２端部２２は、最先端２２ａから１ｍｍ程度の間隔Ｄをあけた内側面（環の内側の面）に、糸５の結び付け部２４である凹み４が冷間プレス加工にて形成されている。第２端部２２の最先端２２ａから凹み４付近までは直線状に形成され、凹み４から続く箇所には、環状体２の環の外側向きに凸の曲線部分２３が形成されている。第２端部２２の延長線と第１端部２１の最先端付近とが鈍角（環の内側になる部分が鈍角）に交差するよう形成されている。
なお、環状体２は、円形断面を有する太さの一様な鋼線を曲げ加工したうえ、焼入・焼戻しを施し、表面研磨をした後にメッキ処理を行う。メッキは、黒メッキや金メッキを施して仕上げるのが一般的である。
【００２７】
弾性チューブ３は図２（ｂ）に示すもので、透明な塩化ビニール製であり、隙間Ｓを塞ぐために第２端部２２の凹み４および曲線部分２３に被せるように取り付けることができる。その内径を環状体２の太さに合わせているので、被せると自然には抜けなくなる。取り付けたとき、図３（ａ）に示すように、弾性チューブ３が曲線部分２３の外側に接している長さＡは、内側に接している長さＢより長いため、曲線部分２３を覆う弾性チューブ３の外側は内側よりも強い力で曲線部分２３に引っ張られ、先端部分３ａが環状体２の環の外側に向いてしまいがちである。
しかし、糸の結び付け部２４で鼻環糸５を弾性チューブ３の外周面上に結び付けることにより、図３（ｂ）のように、凹み４に弾性チューブ３の内側部分のみが引っ張られるうえ、曲線部分２３での長さＡ・Ｂの不均衡がもたらす力の差が、結び付けた鼻環糸５によって遮断される。さらに、凹み４から第２端部２２の最先端２２ａまでが直線状に形成されているため、糸５よりも先端側では、弾性チューブ３が環状体２の外側に接している長さＡ’と内側に接している長さＢ’とが等しくなる。これらにより、弾性チューブ３の先端部分３ａは第１端部２１に向かって直線的に延びることになる。しかも、弾性チューブ３の先端部分３ａは環状体２の環の内側ほど長くなるよう斜めにカットしてある。したがって、おとり鮎の鼻に押されるなどして弾性チューブ３が外側に開こうとしても、先端部分３ａの内側が第１端部２１に当たるため容易には環状体２の環の外側へ開かず、おとり鮎が外れて逃げることは稀である。
【００２８】
以上のように構成された鼻環１においては、図１（または図４）のように、弾性チューブ３の先端部分３ａが、第１端部２１の最先端２１ａの付近に位置する。つまり、チューブ３の先端部分３ａの外側面に沿った延長線と、第１端部２１の最先端２１ａとは、ほとんど面一に並んでおり、両者間の段差Ｃ（図１）は０．５ｍｍ程度以下である。環状体２がほぼ円形であるうえ突出する部分がほとんどない鼻環１は、玉網に引っ掛かりにくいため、おとり鮎が弱らないうちに網から外すことができ、良好な釣果が期待できる。
【００２９】
以上に示した鼻環１については、発明の範囲内でたとえば下記i)・ii)のように改変することも可能である。
i)  環状体２の環の内側部分で周方向に間隔をおいて、糸５の結び付け部２４としての凹み４を複数形成するのもよい（図示省略）。その場合、複数の凹み４の中から鼻環１の使い勝手に応じていずれかを選び、そこに、弾性チューブ３の外周上から糸５を巻いて使用する。あるいは、弾性チューブ３の外周上から２以上の凹み４に糸５を巻くことによって、弾性チューブ３の先端部分３ａを環状体２の環の内側に向けて（つまり図３（ａ）とは逆の向きに）反らせるようにするのもよい。
【００３０】
ii)  従来の鼻環（図６参照）と同様に曲率の大きな角部（曲線部分）１０４を有するものであっても、図５のように、第２端部２２に取り付ける弾性チューブ３の先端部分が第１端部２１の最先端付近に位置する鼻環１１として構成することができる。従来のように角部１０４に糸５を結び付けるのではなく、それよりも第２端部２１（の先）に近い部分に凹み４を設けて糸５の結び付け部とすることにより、図１等に示す鼻環１と同様の作用効果が発揮される。
【符号の説明】
【００３１】
１・１１  鼻環
２  環状体
２１  第１端部
２２  第２端部
２３  曲線部分
２４  結び付け部
３  弾性チューブ
４  凹み
５  鼻環糸
【図１】
2015015912.tif 000003
【図２】
2015015912.tif 000004
【図３】
2015015912.tif 000005
【図４】
2015015912.tif 000006
【図５】
2015015912.tif 000007
【図６】
2015015912.tif 000008